(57)【要約】【課題】  単方向通信構成で多段接続構成時の異常回線個所を、簡単な構成で手間を掛けることなく即座に特定するメディア情報伝送システムを得る。【解決手段】  入力されるメディア情報を符号化して送出する放送送出装置４と、放送送出装置４に第１から第３の回線５，７，９を介して多段接続され、各々入力側の回線を通じて受信されるメディア情報を復号すると共に符号化して出力側の回線に送出する第１、第２の伝送装置６，８と、放送送出装置４から第１、第２の伝送装置６，８を通じて多段接続され単方向通信にて受信されるメディア情報を復号して出力する放送受信装置１０とを備え、各々の第１、第２の伝送装置６，８は、受信されるメディア情報の異常を検出した場合に、その伝送装置の固有の異常通知情報を符号化して出力側の回線に送出するようにした。【選択図】        図１
2006238380.tif 000002
【特許請求の範囲】
【請求項１】
入力されるメディア情報を符号化して送出する放送送出装置と、
上記放送送出装置に伝送回線を介して多段接続され、各々入力側の伝送回線を通じて受信されるメディア情報を復号すると共に符号化して出力側の伝送回線に送出する伝送装置と、
上記放送送出装置から上記複数の伝送装置および上記複数の伝送回線を通じて単方向通信にて受信されるメディア情報を復号して出力する放送受信装置とを備え、
上記各々の伝送装置は、
受信されるメディア情報の異常を検出した場合に、その伝送装置の固有の異常通知情報を符号化して出力側の伝送回線に送出することを特徴とするメディア情報伝送システム。
【請求項２】
伝送装置は、
入力側の伝送回線を通じて受信されるメディア映像情報を含むマルチメディア情報を復号する復号部と、
上記復号部による復号処理の際に発生する異常を検出する異常検出部と、
当該伝送装置の固有の異常通知映像情報を記憶した映像記憶部と、
上記異常検出部により異常が検出されない場合に、上記復号部により復号されたメディア映像情報を選択し、その異常検出部により異常が検出された場合に、上記映像記憶部に記憶された異常通知映像情報を選択する映像選択部と、
上記復号部により復号されたメディア映像情報以外のマルチメディア情報、および上記映像選択部により選択されたメディア映像情報または異常通知映像情報を符号化して出力側の伝送回線に送出する符号化部とを備えたことを特徴とする請求項１記載のメディア情報伝送システム。
【請求項３】
伝送装置は、
入力側の伝送回線を通じて受信されるメディア音声情報を含むマルチメディア情報を復号する復号部と、
上記復号部による復号処理の際に発生する異常を検出する異常検出部と、
当該伝送装置の固有の異常通知音声情報を記憶した音声記憶部と、
上記異常検出部により異常が検出されない場合に、上記復号部により復号されたメディア音声情報を選択し、その異常検出部により異常が検出された場合に、上記音声記憶部に記憶された異常通知音声情報を選択する音声選択部と、
上記復号部により復号されたメディア音声情報以外のマルチメディア情報、および上記音声選択部により選択されたメディア音声情報または異常通知音声情報を符号化して出力側の伝送回線に送出する符号化部とを備えたことを特徴とする請求項１記載のメディア情報伝送システム。
【請求項４】
伝送装置は、
入力側の伝送回線を通じて受信されるメディア汎用情報を含むマルチメディア情報を復号する復号部と、
上記復号部による復号処理の際に発生する異常を検出する異常検出部と、
当該伝送装置の固有の異常通知汎用情報を記憶した汎用情報記憶部と、
上記異常検出部により異常が検出されない場合に、上記復号部により復号されたメディア汎用情報を選択し、その異常検出部により異常が検出された場合に、上記汎用情報記憶部に記憶された異常通知汎用情報を選択する汎用情報選択部と、
上記復号部により復号されたメディア汎用情報以外のマルチメディア情報、および上記汎用情報選択部により選択されたメディア汎用情報または異常通知汎用情報を符号化して出力側の伝送回線に送出する符号化部とを備えたことを特徴とする請求項１記載のメディア情報伝送システム。
【発明の詳細な説明】
【技術分野】
【０００１】
この発明は、伝送装置および回線が多段接続構成されると共にメディア情報が単方向通信で伝送され、回線異常時の異常回線個所を特定するメディア情報伝送システムに関するものである。
【背景技術】
【０００２】
従来の伝送システムとしては、情報が送信および受信の双方向通信で伝送される構成において、回線の伝送誤りを判定するものがあった（例えば、特許文献１参照）。
【０００３】
【特許文献１】特開２０００−６８９８６号公報
【発明の開示】
【発明が解決しようとする課題】
【０００４】
従来の伝送システムは以上のように構成されているので、情報が送信および受信の双方向通信で伝送される構成のものであり、単方向通信構成で多段接続構成時の異常回線個所を特定するものではないなどの課題があった。
【０００５】
この発明は上記のような課題を解決するためになされたもので、単方向通信構成で多段接続構成時の異常回線個所を、簡単な構成で手間を掛けることなく即座に特定するメディア情報伝送システムを得ることを目的とする。
【課題を解決するための手段】
【０００６】
この発明に係るメディア情報伝送システムは、入力されるメディア情報を符号化して送出する放送送出装置と、放送送出装置に伝送回線を介して多段接続され、各々入力側の伝送回線を通じて受信されるメディア情報を復号すると共に符号化して出力側の伝送回線に送出する伝送装置と、放送送出装置から複数の伝送装置および複数の伝送回線を通じて単方向通信にて受信されるメディア情報を復号して出力する放送受信装置とを備え、各々の伝送装置は、受信されるメディア情報の異常を検出した場合に、その伝送装置の固有の異常通知情報を符号化して出力側の伝送回線に送出するようにしたものである。
【発明の効果】
【０００７】
この発明によれば、伝送回線に異常が発生した場合には、放送受信装置に異常通知情報が報知されるか、または、異常通知情報が報知されることなく、異常なメディア情報が報知される。異常通知情報が報知されれば、その異常通知情報を発生した伝送装置の前段の伝送装置までに受信されるメディア情報に異常が無く、その異常通知情報を発生した伝送装置に受信されるメディア情報に異常が発生したと判断されることから、その異常通知情報を発生した伝送装置の入力側の伝送回線に異常が発生したことを特定することができる。また、異常通知情報が報知されることなく、異常なメディア情報が報知されれば、放送受信装置の入力側の伝送回線に異常が発生したことを特定することができる。このように、単方向通信構成で多段接続構成時の異常回線個所を、簡単な構成で手間を掛けることなく即座に特定することができる効果がある。
【発明を実施するための最良の形態】
【０００８】
実施の形態１．
図１はこの発明の実施の形態１によるメディア情報伝送システムを示す構成図であり、図において、映像入力装置１は、テレビカメラ等によって構成され、メディア映像情報を入力するものである。また、音声入力装置２は、マイク等によって構成され、メディア音声情報を入力するものである。さらに、汎用情報入力装置３は、パーソナルコンピュータ等によって構成され、動作信号情報または文字情報等のメディア汎用情報を入力するものである。放送送出装置４は、映像入力装置１、音声入力装置２および汎用情報入力装置３から入力されるマルチメディア情報を符号化して第１の回線（伝送回線）５に送出するものである。
【０００９】
第１の伝送装置６は、入力側の第１の回線５を通じて受信されるマルチメディア情報を復号すると共に再符号化して出力側の第２の回線（伝送回線）７に送出すると共に、受信されるマルチメディア情報の異常を検出した場合に、この第１の伝送装置６の固有の異常通知情報を符号化して出力側の第２の回線７に送出するものである。
第２の伝送装置８は、入力側の第２の回線７を通じて受信されるマルチメディア情報を復号すると共に再符号化して出力側の第３の回線（伝送回線）９に送出すると共に、受信されるマルチメディア情報の異常を検出した場合に、この第２の伝送装置８の固有の異常通知情報を符号化して出力側の第３の回線９に送出するものである。
【００１０】
放送受信装置１０は、放送送出装置４から第１、第２の伝送装置６，８および第１から第３の回線５，７，９を通じて多段接続され単方向通信にて受信されるマルチメディア情報を復号して出力するものである。映像表示装置１１は、テレビモニタ等によって構成され、メディア映像情報を表示出力するものである。また、音声再生装置１２は、スピーカ等によって構成され、メディア音声情報を再生出力するものである。さらに、汎用情報受信装置１３は、パーソナルコンピュータ等によって構成され、動作信号情報または文字情報等のメディア汎用情報を受信し、その動作信号情報に応じて動作したり、その文字情報を表示したりするものである。
【００１１】
図２はこの発明の実施の形態１による第１の伝送装置の詳細を示す構成図であり、図において、メディア復号部（復号部）２１は、入力側の第１の回線５を通じて受信されるマルチメディア情報を復号するものである。異常検出部２２は、メディア復号部２１による復号処理の際の復号情報の異常を検出するものである。映像情報伝送路２３は、復号されたメディア映像情報を伝送し、音声情報伝送路２４は、復号されたメディア音声情報を伝送し、汎用情報伝送路２５は、復号されたメディア汎用情報を伝送するものである。
第１の伝送装置映像記憶部（映像記憶部）２６は、この第１の伝送装置６の固有の異常通知映像情報を記憶したものである。映像選択部２７は、異常検出部２２により異常が検出されない場合に、メディア復号部２１により復号されたメディア映像情報を選択し、異常検出部２２により異常が検出された場合に、第１の伝送装置映像記憶部２６に記憶された異常通知映像情報を選択するものである。
メディア符号化部（符号化部）２８は、メディア復号部２１により復号されたメディア音声情報およびメディア汎用情報、および映像選択部２７により選択されたメディア映像情報または異常通知映像情報を符号化して出力側の第２の回線７に送出するものである。
【００１２】
図３はこの発明の実施の形態１による第２の伝送装置の詳細を示す構成図であり、図において、第２の伝送装置映像記憶部（映像記憶部）２９は、この第２の伝送装置８の固有の異常通知映像情報を記憶したものである。
その他の構成については、入力側が第２の回線７で出力側が第３の回線９である以外は図２と同等である。
【００１３】
次に動作について説明する。
図１において、映像入力装置１、音声入力装置２および汎用情報入力装置３から映像・音声・汎用情報等の各種メディア情報が放送送出装置４に入力され、放送送出装置４では、そのマルチメディア情報を圧縮符号化し、第１の回線５を通じて第１の伝送装置６に伝送する。第１の伝送装置６は、受信されるマルチメディア情報を復号すると共に再符号化して第２の回線７に送出し、第２の伝送装置８は、受信されるマルチメディア情報を復号すると共に再符号化して第３の回線９に送出する。放送受信装置１０は、放送送出装置４から第１、第２の伝送装置６，８が多段接続され、単方向通信にて受信されるマルチメディア情報を復号して、映像表示装置１１、音声再生装置１２および汎用情報受信装置１３に映像・音声・汎用情報等の各種メディア情報を出力する。
【００１４】
図２において、第１の伝送装置６では、第１の回線５を通じて受信されるマルチメディア情報をメディア復号部２１にて復号する。復号された映像・音声・汎用情報の各種メディア情報は、映像情報伝送路２３、音声情報伝送路２４および汎用情報伝送路２５に各々伝送される。異常検出部２２は、その復号処理の際の復号情報の異常を検出し、映像選択部２７に通知する。すなわち、異常検出部２２では、第１の回線５等の異常により第１の伝送装置６に受信されるマルチメディア情報に異常がある場合に映像選択部２７にその旨を通知する。映像選択部２７では、異常通知がない場合に、メディア復号部２１により復号されたメディア映像情報を選択し、異常通知がある場合に、第１の伝送装置映像記憶部２６に記憶された第１の伝送装置６の固有の異常通知映像情報を選択する。ここで、第１の伝送装置６の固有の異常通知映像情報とは、後の映像表示装置１１の表示出力により第１の伝送装置６において異常が発生したことが認識可能な映像である。メディア符号化部２８では、復号されたメディア音声情報およびメディア汎用情報に加え、映像選択部２７により選択されたメディア映像情報または異常通知映像情報を符号化して第２の回線７に送出する。
【００１５】
図３において、第２の伝送装置８では、第２の回線７を通じて受信されるマルチメディア情報をメディア復号部２１にて復号する。復号された映像・音声・汎用情報の各種メディア情報は、映像情報伝送路２３、音声情報伝送路２４および汎用情報伝送路２５に各々伝送される。異常検出部２２は、その復号処理の際の復号情報の異常を検出し、映像選択部２７に通知する。すなわち、異常検出部２２では、第２の回線７等の異常により第２の伝送装置８に受信されるマルチメディア情報に異常がある場合に映像選択部２７にその旨を通知する。映像選択部２７では、異常通知がない場合に、メディア復号部２１により復号されたメディア映像情報を選択し、異常通知がある場合に、第２の伝送装置映像記憶部２９に記憶された第２の伝送装置８の固有の異常通知映像情報を選択する。ここで、第２の伝送装置８の固有の異常通知映像情報とは、後の映像表示装置１１の表示出力により第２の伝送装置８において異常が発生したことが認識可能な映像である。メディア符号化部２８では、復号されたメディア音声情報およびメディア汎用情報に加え、映像選択部２７により選択されたメディア映像情報または異常通知映像情報を符号化して第３の回線９に送出する。
【００１６】
以上の動作により、第１の回線５の回線品質が原因で第１の伝送装置６の異常検出部２２が異常を検出した場合には、映像表示装置１１に第１の伝送装置６の固有の異常通知映像情報が表示され、また、第２の回線７の回線品質が原因で第２の伝送装置８の異常検出部２２が異常を検出した場合には、映像表示装置１１に第２の伝送装置８の固有の異常通知映像情報が表示され、さらに、第３の回線９の回線品質に異常がある場合には、映像表示装置１１に異常なメディア映像情報が表示される。
このように、映像表示装置１１により表示されるメディア映像情報を監視することによって、異常回線個所を簡単な構成で手間を掛けることなく即座に特定することができる。
【００１７】
なお、この実施の形態１では、回線の数を第１から第３の回線５，７，９の３回線、伝送装置の数を第１、第２の伝送装置６，８の２伝送装置としたが、回線の数および伝送装置の数はそれ以上のものであっても良く、各々の伝送装置を図２、図３のように構成すれば同様な効果を奏することができる。
また、その他のメディア情報を伝送しても良く、同様な効果を奏することができる。
さらに、異常検出部２２において、メディア復号部２１での復号情報の異常が検出されなくなってから所定時間経過した場合に、映像選択部２７への異常発生の通知を解除し、映像選択部２７では、その通知の解除により異常通知映像情報から通常のメディア映像情報に切り替えるようにしても良く、この場合、復号情報の異常が瞬時にのみ発生した場合であっても、映像表示装置１１には異常通知映像情報を所定時間だけ表示出力することができ、監視員が異常の発生を認識し易くすることができる。
【００１８】
以上のように、この実施の形態１によれば、第１の回線５、第２の回線７または第３の回線９に異常が発生した場合には、映像表示装置１１に異常通知映像情報が表示されるか、または、異常なメディア映像情報が表示される。異常通知映像情報が表示されれば、その異常通知映像情報を発生した伝送装置の前段の伝送装置までに受信されるマルチメディア情報に異常が無く、その異常通知映像情報を発生した伝送装置に受信されるマルチメディア情報に異常が発生したと判断されることから、その異常通知映像情報を発生した伝送装置の入力側の伝送回線に異常が発生したことを特定することができる。また、異常なメディア映像情報が表示されれば、放送受信装置１１の入力側の第３の回線９に異常が発生したことを特定することができる。このように、単方向通信構成で多段接続構成時の異常回線個所を、映像表示装置１１により表示されるメディア映像情報を監視することによって、簡単な構成で手間を掛けることなく即座に特定することができる。
【００１９】
実施の形態２．
図４はこの発明の実施の形態２による第１の伝送装置の詳細を示す構成図であり、図において、第１の伝送装置音声記憶部（音声記憶部）３０は、この第１の伝送装置６の固有の異常通知音声情報を記憶したものである。音声選択部３１は、異常検出部２２により異常が検出されない場合に、メディア復号部２１により復号されたメディア音声情報を選択し、異常検出部２２により異常が検出された場合に、第１の伝送装置音声記憶部３０に記憶された異常通知音声情報を選択するものである。なお、メディア符号化部２８は、メディア復号部２１により復号されたメディア映像情報およびメディア汎用情報、および音声選択部３１により選択されたメディア音声情報または異常通知音声情報を符号化して出力側の第２の回線７に送出するものである。
その他の構成については、図２と同等である。
【００２０】
図５はこの発明の実施の形態２による第２の伝送装置の詳細を示す構成図であり、図において、第２の伝送装置音声記憶部（音声記憶部）３２は、この第２の伝送装置８の固有の異常通知音声情報を記憶したものである。
その他の構成については、入力側が第２の回線７で出力側が第３の回線９である以外は図４と同等である。
【００２１】
次に動作について説明する。
この実施の形態２によるメディア情報伝送システムの全体構成は、図１と同等であり、上記実施の形態１に対して改良した点は、図４および図５に示したように、異常通知情報を音声によって報知するようにした点である。
【００２２】
図４において、第１の伝送装置６では、第１の回線５を通じて受信されるマルチメディア情報をメディア復号部２１にて復号する。復号された映像・音声・汎用情報の各種メディア情報は、映像情報伝送路２３、音声情報伝送路２４および汎用情報伝送路２５に各々伝送される。異常検出部２２は、その復号処理の際の復号情報の異常を検出し、音声選択部３１に通知する。すなわち、異常検出部２２では、第１の回線５等の異常により第１の伝送装置６に受信されるマルチメディア情報に異常がある場合に音声選択部３１にその旨を通知する。音声選択部３１では、異常通知がない場合に、メディア復号部２１により復号されたメディア音声情報を選択し、異常通知がある場合に、第１の伝送装置音声記憶部３０に記憶された第１の伝送装置６の固有の異常通知音声情報を選択する。ここで、第１の伝送装置６の固有の異常通知音声情報とは、後の音声再生装置１２の再生出力により第１の伝送装置６において異常が発生したことが認識可能な音声である。メディア符号化部２８では、復号されたメディア映像情報およびメディア汎用情報に加え、音声選択部３１により選択されたメディア音声情報または異常通知音声情報を符号化して第２の回線７に送出する。
【００２３】
図５において、第２の伝送装置８では、第２の回線７を通じて受信されるマルチメディア情報をメディア復号部２１にて復号する。復号された映像・音声・汎用情報の各種メディア情報は、映像情報伝送路２３、音声情報伝送路２４および汎用情報伝送路２５に各々伝送される。異常検出部２２は、その復号処理の際の復号情報の異常を検出し、音声選択部３１に通知する。すなわち、異常検出部２２では、第２の回線７等の異常により第２の伝送装置８に受信されるマルチメディア情報に異常がある場合に音声選択部３１にその旨を通知する。音声選択部３１では、異常通知がない場合に、メディア復号部２１により復号されたメディア音声情報を選択し、異常通知がある場合に、第２の伝送装置音声記憶部３２に記憶された第２の伝送装置８の固有の異常通知音声情報を選択する。ここで、第２の伝送装置８の固有の異常通知音声情報とは、後の音声再生装置１２の再生出力により第２の伝送装置８において異常が発生したことが認識可能な音声である。メディア符号化部２８では、復号されたメディア映像情報およびメディア汎用情報に加え、音声選択部３１により選択されたメディア音声情報または異常通知音声情報を符号化して第３の回線９に送出する。
【００２４】
以上の動作により、第１の回線５の回線品質が原因で第１の伝送装置６の異常検出部２２が異常を検出した場合には、音声再生装置１２に第１の伝送装置６の固有の異常通知音声情報が出力され、また、第２の回線７の回線品質が原因で第２の伝送装置８の異常検出部２２が異常を検出した場合には、音声再生装置１２に第２の伝送装置８の固有の異常通知音声情報が出力され、さらに、第３の回線９の回線品質に異常がある場合には、音声再生装置１２に異常なメディア音声情報が出力される。
このように、音声再生装置１２により出力されるメディア音声情報を監視することによって、異常回線個所を簡単な構成で手間を掛けることなく即座に特定することができる。
【００２５】
なお、異常検出部２２において、メディア復号部２１での復号情報の異常が検出されなくなってから所定時間経過した場合に、音声選択部３１への異常発生の通知を解除し、音声選択部３１では、その通知の解除により異常通知音声情報から通常のメディア音声情報に切り替えるようにしても良く、この場合、復号情報の異常が瞬時にのみ発生した場合であっても、音声再生装置１２には異常通知音声情報を所定時間だけ再生出力することができ、監視員が異常の発生を認識し易くすることができる。
【００２６】
以上のように、この実施の形態２によれば、第１の回線５、第２の回線７または第３の回線９に異常が発生した場合には、音声再生装置１２に異常通知音声情報が出力されるか、または、異常なメディア音声情報が出力される。異常通知音声情報が出力されれば、その異常通知音声情報を発生した伝送装置の前段の伝送装置までに受信されるマルチメディア情報に異常が無く、その異常通知音声情報を発生した伝送装置に受信されるマルチメディア情報に異常が発生したと判断されることから、その異常通知音声情報を発生した伝送装置の入力側の伝送回線に異常が発生したことを特定することができる。また、異常なメディア音声情報が出力されれば、音声再生装置１２の入力側の第３の回線９に異常が発生したことを特定することができる。このように、単方向通信構成で多段接続構成時の異常回線個所を、音声再生装置１２により出力されるメディア音声情報を監視することによって、簡単な構成で手間を掛けることなく即座に特定することができる。
【００２７】
実施の形態３．
図６はこの発明の実施の形態３による第１の伝送装置の詳細を示す構成図であり、図において、第１の伝送装置汎用情報記憶部（汎用情報記憶部）３３は、この第１の伝送装置６の固有の異常通知汎用情報を記憶したものである。汎用情報選択部３４は、異常検出部２２により異常が検出されない場合に、メディア復号部２１により復号されたメディア汎用情報を選択し、異常検出部２２により異常が検出された場合に、第１の伝送装置汎用情報記憶部３３に記憶された異常通知汎用情報を選択するものである。なお、メディア符号化部２８は、メディア復号部２１により復号されたメディア映像情報およびメディア音声情報、および汎用情報選択部３４により選択されたメディア汎用情報または異常通知汎用情報を符号化して出力側の第２の回線７に送出するものである。
その他の構成については、図２と同等である。
【００２８】
図７はこの発明の実施の形態３による第２の伝送装置の詳細を示す構成図であり、図において、第２の伝送装置汎用情報記憶部（汎用情報記憶部）３５は、この第２の伝送装置８の固有の異常通知汎用情報を記憶したものである。
その他の構成については、入力側が第２の回線７で出力側が第３の回線９である以外は図４と同等である。
【００２９】
次に動作について説明する。
この実施の形態３によるメディア情報伝送システムの全体構成は、図１と同等であり、上記実施の形態１に対して改良した点は、図６および図７に示したように、異常通知情報を汎用情報によって報知するようにした点である。
【００３０】
図６において、第１の伝送装置６では、第１の回線５を通じて受信されるマルチメディア情報をメディア復号部２１にて復号する。復号された映像・音声・汎用情報の各種メディア情報は、映像情報伝送路２３、音声情報伝送路２４および汎用情報伝送路２５に各々伝送される。異常検出部２２は、その復号処理の際の復号情報の異常を検出し、汎用情報選択部３４に通知する。すなわち、異常検出部２２では、第１の回線５等の異常により第１の伝送装置６に受信されるマルチメディア情報に異常がある場合に汎用情報選択部３４にその旨を通知する。汎用情報選択部３４では、異常通知がない場合に、メディア復号部２１により復号されたメディア汎用情報を選択し、異常通知がある場合に、第１の伝送装置汎用情報記憶部３３に記憶された第１の伝送装置６の固有の異常通知汎用情報を選択する。ここで、第１の伝送装置６の固有の異常通知汎用情報とは、後の汎用情報受信装置１３の受信出力（指定動作、文字出力等）により第１の伝送装置６において異常が発生したことが認識可能な汎用情報である。メディア符号化部２８では、復号されたメディア映像情報およびメディア音声情報に加え、汎用情報選択部３４により選択されたメディア汎用情報または異常通知汎用情報を符号化して第２の回線７に送出する。
【００３１】
図７において、第２の伝送装置８では、第２の回線７を通じて受信されるマルチメディア情報をメディア復号部２１にて復号する。復号された映像・音声・汎用情報の各種メディア情報は、映像情報伝送路２３、音声情報伝送路２４および汎用情報伝送路２５に各々伝送される。異常検出部２２は、その復号処理の際の復号情報の異常を検出し、汎用情報選択部３４に通知する。すなわち、異常検出部２２では、第２の回線７等の異常により第２の伝送装置８に受信されるマルチメディア情報に異常がある場合に汎用情報選択部３４にその旨を通知する。汎用情報選択部３４では、異常通知がない場合に、メディア復号部２１により復号されたメディア汎用情報を選択し、異常通知がある場合に、第２の伝送装置汎用情報記憶部３５に記憶された第２の伝送装置８の固有の異常通知汎用情報を選択する。ここで、第２の伝送装置８の固有の異常通知汎用情報とは、後の汎用情報受信装置１３の受信出力（指定動作、文字出力等）により第２の伝送装置８において異常が発生したことが認識可能な汎用情報である。メディア符号化部２８では、復号されたメディア映像情報およびメディア音声情報に加え、汎用情報選択部３４により選択されたメディア汎用情報または異常通知汎用情報を符号化して第３の回線９に送出する。
【００３２】
以上の動作により、第１の回線５の回線品質が原因で第１の伝送装置６の異常検出部２２が異常を検出した場合には、汎用情報受信装置１３に第１の伝送装置６の固有の異常通知汎用情報が出力され、汎用情報受信装置１３ではその異常通知汎用情報に応じた指定動作あるいは文字出力等を行う。また、第２の回線７の回線品質が原因で第２の伝送装置８の異常検出部２２が異常を検出した場合には、汎用情報受信装置１３に第２の伝送装置８の固有の異常通知汎用情報が出力され、汎用情報受信装置１３ではその異常通知汎用情報に応じた指定動作あるいは文字出力等を行う。さらに、第３の回線９の回線品質に異常がある場合には、汎用情報受信装置１３に異常なメディア汎用情報が出力され、汎用情報受信装置１３ではその異常なメディア汎用情報に応じた動作あるいは文字出力等を行う。
このように、汎用情報受信装置１３により出力されるメディア汎用情報を監視することによって、異常回線個所を簡単な構成で手間を掛けることなく即座に特定することができる。
【００３３】
なお、異常検出部２２において、メディア復号部２１での復号情報の異常が検出されなくなってから所定時間経過した場合に、汎用情報選択部３４への異常発生の通知を解除し、汎用情報選択部３４では、その通知の解除により異常通知汎用情報から通常のメディア汎用情報に切り替えるようにしても良く、この場合、復号情報の異常が瞬時にのみ発生した場合であっても、汎用情報受信装置１３には異常通知汎用情報を所定時間だけ受信出力することができ、監視員が異常の発生を認識し易くすることができる。
【００３４】
以上のように、この実施の形態３によれば、第１の回線５、第２の回線７または第３の回線９に異常が発生した場合には、汎用情報受信装置１３に異常通知汎用情報が出力されるか、または、異常なメディア汎用情報が出力される。異常通知汎用情報が出力されれば、その異常通知汎用情報を発生した伝送装置の前段の伝送装置までに受信されるマルチメディア情報に異常が無く、その異常通知汎用情報を発生した伝送装置に受信されるマルチメディア情報に異常が発生したと判断されることから、その異常通知汎用情報を発生した伝送装置の入力側の伝送回線に異常が発生したことを特定することができる。また、異常なメディア汎用情報が出力されれば、汎用情報受信装置１３の入力側の第３の回線９に異常が発生したことを特定することができる。このように、単方向通信構成で多段接続構成時の異常回線個所を、汎用情報受信装置１３により出力されるメディア汎用情報を監視することによって、簡単な構成で手間を掛けることなく即座に特定することができる。
【図面の簡単な説明】
【００３５】
【図１】この発明の実施の形態１によるメディア情報伝送システムを示す構成図である。
【図２】この発明の実施の形態１による第１の伝送装置の詳細を示す構成図である。
【図３】この発明の実施の形態１による第２の伝送装置の詳細を示す構成図である。
【図４】この発明の実施の形態２による第１の伝送装置の詳細を示す構成図である。
【図５】この発明の実施の形態２による第２の伝送装置の詳細を示す構成図である。
【図６】この発明の実施の形態３による第１の伝送装置の詳細を示す構成図である。
【図７】この発明の実施の形態３による第２の伝送装置の詳細を示す構成図である。
【符号の説明】
【００３６】
１  映像入力装置、２  音声入力装置、３  汎用情報入力装置、４  放送送出装置、５第１の回線（伝送回線）、６  第１の伝送装置、７  第２の回線（伝送回線）、８  第２の伝送装置、９  第３の回線（伝送回線）、１０  放送受信装置、１１  映像表示装置、１２  音声再生装置、１３  汎用情報受信装置、２１  メディア復号部（復号部）、２２  異常検出部、２３  映像情報伝送路、２４  音声情報伝送路、２５  汎用情報伝送路、２６  第１の伝送装置映像記憶部（映像記憶部）、２７  映像選択部、２８  メディア符号化部（符号化部）、２９  第２の伝送装置映像記憶部（映像記憶部）、３０  第１の伝送装置音声記憶部（音声記憶部）、３１  音声選択部、３２  第２の伝送装置音声記憶部（音声記憶部）、３３  第１の伝送装置汎用情報記憶部（汎用情報記憶部）、３４  汎用情報選択部、３５  第２の伝送装置汎用情報記憶部（汎用情報記憶部）。
【図１】
2006238380.tif 000003
【図２】
2006238380.tif 000004
【図３】
2006238380.tif 000005
【図４】
2006238380.tif 000006
【図５】
2006238380.tif 000007
【図６】
2006238380.tif 000008
【図７】
2006238380.tif 000009